【手続補正書】
【提出日】平成20年4月22日(2008.4.22)
【手続補正１】
【補正対象書類名】明細書
【補正対象項目名】特許請求の範囲
【補正方法】変更
【補正の内容】
【特許請求の範囲】
【請求項１】
基地局を経由して電子チケット提供サーバと交信可能な携帯端末本体と、
前記携帯端末本体を介して受信した電子チケットのチケットデータおよび利用履歴を記録するとともに、前記携帯端末本体を介することなく外部機器との交信により前記チケットデータの消費または蓄積を記録するデータキャリアとからなる携帯端末。
【請求項２】
通過希望者の適否を判定しゲートを開閉するゲート装置であって、
前記通過希望者が所持する携帯端末に格納された電子チケットのチケットデータを読み取る手段と、
前記チケットデータの適否を判定する手段と、
前記判定結果に基づいてゲートの通過可否を出力する手段と、
前記判定結果に基づいて前記携帯端末側に格納されたチケットデータを更新する手段とからなるゲート装置。
【請求項３】
電子チケットの格納された携帯端末との間で通信可能なＰＯＳ端末であって、
積算時に前記携帯端末の電子チケットの利用履歴を読み出す手段と、
前記電子チケットに対応する優待サービスの可否を判定する手段と、
前記優待サービスの実行指示を出力する手段とからなるＰＯＳ端末。
【請求項４】
基地局を経由して携帯端末と交信可能な電子チケット提供サーバであって、
前記携帯端末からの要求にしたがって電子チケットデータを送信する手段と、
前記電子チケットデータに対応した決済処理を決済サーバに指示する手段とからなる電子チケット提供サーバ。
【請求項５】
電子チケットデータを携帯端末にダウンロードすることにより電子チケットを販売する電子チケット処理システムであって、
電子チケット提供サーバは、携帯端末に対する交信手段を有し、
携帯端末は、電子チケットのデータ格納部と利用履歴情報部からなる記憶手段と、携帯端末ＩＤまたは利用者ＩＤなどの電子決済に必要な情報からなる携帯端末メモリ部を有しており、
前記電子チケット提供サーバが前記携帯端末からの要求により電子チケットのダウンロー
ドによる電子チケット販売を実行し、
前記携帯端末を所有する利用者がゲート装置を通過することによって前記携帯端末の電子チケットが使用済み電子チケットとして前記記憶手段のデータ格納部上で更新され、
その後の利用者の店舗等での購買精算時にＰＯＳ端末と前記携帯端末との交信により当該店舗での利用者の優待サービスの可否が電子チケットの利用履歴に基づいて判定される電子チケット処理システム。
【請求項６】
電子チケットデータを携帯端末にダウンロードすることにより電子チケットを販売する電子チケット処理システムであって、
電子チケット提供サーバは、携帯端末に対する交信手段を有し、
電子チケットの利用履歴を管理する収入管理サーバは、携帯端末及びＰＯＳ端末に対する交信手段を有し、
携帯端末は、電子チケットのデータ格納部からなる記憶手段と、携帯端末ＩＤまたは利用者ＩＤなどの電子決済に必要な情報からなる携帯端末メモリ部を有しており、
前記電子チケット提供サーバが前記携帯端末からの要求により電子チケットのダウンロードによる電子チケット販売を実行し、
前記携帯端末を所有する利用者がゲート装置を通過することによって前記電子チケットの利用履歴が前記収入管理サーバ上で更新され、
その後の利用者の店舗等での購買精算時にＰＯＳ端末と前記収入管理サーバとの交信により当該店舗での利用者の優待サービスの可否が電子チケットの利用履歴に基づいて判定される電子チケット処理システム。
【請求項７】
サービス事業者の顧客利用履歴を蓄積管理する管理サーバであって、
各サービス拠点を構成するゲート装置から電子チケット利用履歴を収集する収集手段と、各店舗に設置されたＰＯＳ端末または決済サーバからの照会を受け付ける通信手段と、
前記収集した電子チケット利用履歴を電子チケット利用者ＩＤ毎に管理する記憶手段と、前記ＰＯＳ端末または決済サーバからの照会により、前記記憶手段より電子チケット利用履歴を回答する回答手段とを有する管理サーバ。
【請求項８】
電子チケット提供サーバと、
電子チケットのデータ格納部からなる記憶手段と、携帯端末ＩＤまたは利用者ＩＤなどの電子決済に必要な情報からなる携帯端末メモリ部を備えた携帯端末と、
前記電子チケットの利用履歴を管理する収入管理サーバと、
前記収入管理サーバから前記電子チケットの利用履歴を取得する手段を備えた店舗サーバと、
前記電子チケットの決済を行う決済手段とからなり、
前記電子チケット提供サーバが前記携帯端末からの要求により電子チケットをダウンロード販売し、
前記携帯端末の所有者がゲート装置を通過する際に前記電子チケットの利用履歴が前記収入管理サーバ上で更新され、
その後所有者が店舗で購買する際に、前記店舗サーバは前記電子決済に必要な情報を元に前記収入管理サーバから前記電子チケットの利用履歴を取得し、当該利用履歴に基づいて優待サービス提供の可否を決定し、提供可と判断した場合は前記決済手段に対して前記優待サービスの提供を指示する電子チケット処理システム。
【請求項９】
前記請求項８において、前記携帯端末メモリ部には、電子チケット購入時に割引が受けられるクーポン情報を蓄積する電子クーポン蓄積記憶部を有しており、
前記店舗サーバが優待サービスの提供可を判定したときは、当該店舗サーバは前記決済手段に対して優待処理を指示するかわりに、前記電子クーポンを前記携帯端末メモリ部に設定する電子チケット処理システム。
【請求項１０】
電子チケットデータを携帯端末にダウンロードすることにより電子チケットを販売する電子チケット提供サーバであって、
電子チケットのデータ格納部と利用履歴情報部とからなる記憶手段と利用者ＩＤなどの電子決済に必要な情報からなる携帯端末メモリ部とを有する携帯端末との交信する手段と、利用者ＩＤに基づいた店舗サーバにおける当該店舗での利用者の利用履歴を照会する手段と、
利用者ＩＤに基づいたサービス事業者におけるサービスの利用履歴を照会する手段とを有しており、
前記電子チケット提供サーバは、前記携帯端末への電子チケット販売に際して、前記店舗での利用履歴と前記サービスの利用履歴とを照会し、一定条件での前記店舗での利用とサービスの利用とがなされているときに、所定のサービス利用料金分だけ電子チケットの販売代金を減算する電子チケット提供サーバ。
【請求項１１】
電子チケットセンタから電子チケットデータを携帯端末にダウンロードすることにより電子チケットを販売する電子チケットシステムであって、
前記電子チケットセンタは、前記携帯端末への電子チケット販売に際して、店舗毎の利用履歴とそれとは別のサービスの利用履歴とを照会し、一定条件での前記店舗での利用とサービスの利用とがなされているときに、所定のサービス利用料金分だけ電子チケットの販売代金を減算する電子チケット販売方法。
【手続補正２】
【補正対象書類名】明細書
【補正対象項目名】００２０
【補正方法】変更
【補正の内容】
【００２０】
さらに携帯通信網１５は、インターネット（ＴＣＰ／ＩＰによるデータ通信網）２０と相互接続されており、このインターネット２０には、ルータ２２を介して通過データを収集するための集計機２３ａ，２３ｂ〜２３ｍが、その下位に電子チケットを使用した通過を検知してデータを上位機に転送するゲート２６ａ，２６ｂ・・・２６ｍ（以下、特に記さない限り符号２６で代表する）がそれぞれ接続されている。
【手続補正３】
【補正対象書類名】明細書
【補正対象項目名】００５８
【補正方法】変更
【補正の内容】
【００５８】
一方、負担条件が満たされている場合（Ｓ９０３肯定枝）には、既定の鉄道料金負担金額を利用者の支払額から減算し、負担を実施済であることを携帯端末１（データキャリア１１）の電子チケットデータの利用履歴情報もしくはＰＯＳ端末２４の利用済リストに記録する（Ｓ９０４）。
【手続補正４】
【補正対象書類名】明細書
【補正対象項目名】００８０
【補正方法】変更
【補正の内容】
【００８０】
ＰＯＳ制御部３７は、携帯端末ＩＤをもとに、鉄道会社の収入管理サーバ４６にＰＯＳ対インターネットアクセス部４９を経由して問い合わせて、利用履歴情報を照会する。
【手続補正５】
【補正対象書類名】明細書
【補正対象項目名】００８６
【補正方法】変更
【補正の内容】
【００８６】
負担条件が満たされる場合（Ｓ１００４肯定枝）には、既定の鉄道料金負担金額を利用者の支払額から減算し（Ｓ１００５）、負担を実施済であることを携帯端末１の電子チケットデータの利用履歴情報もしくはＰＯＳ端末４４の利用済リストに記録する（Ｓ１００６）。
【手続補正６】
【補正対象書類名】明細書
【補正対象項目名】００９６
【補正方法】変更
【補正の内容】
【００９６】
次にＰＯＳ制御部３７は、読み出した端末ＩＤをもとに、ＰＯＳ対インターネットアクセス部４９を経由して店舗サーバ４５にアクセスして、店舗サーバ４５に格納されている利用済リストを読み出す（Ｓ１１０３）。
【手続補正７】
【補正対象書類名】明細書
【補正対象項目名】０１００
【補正方法】変更
【補正の内容】
【０１００】
一方、条件が満たされる場合（Ｓ１１０４肯定枝）には、ＰＯＳ制御部３７は、所定の支払代金を割引き額とあわせて店舗サーバ４５に対して決裁処理案件として登録する（Ｓ１１０５）。この案件には割引き条件および割引き処理の期限も含む。
【手続補正８】
【補正対象書類名】明細書
【補正対象項目名】０１０６
【補正方法】変更
【補正の内容】
【０１０６】
店舗サーバ４５は、条件が満たされる場合（Ｓ１３０３肯定枝）には、既定の鉄道料金負担金額を減額した額を決裁金額として利用者の指定した支払方法、たとえば指定の銀行口座から引き落とすなどの処理依頼を決裁サーバに送付する（Ｓ１３０４）。条件が満たさ
れない場合（Ｓ１３０３否定枝）、割引きは行わず割引き前の決裁金額として利用者の指定した支払方法にしたがい決裁サーバ１７に処理依頼を送付する（Ｓ１３０５）。決済サーバ１７は、サービス事業者の収入管理サーバ４６から当該利用者ＩＤに基づく鉄道の利用履歴を参照し、もし、当該店舗利用者が帰路に当該鉄道を利用している場合には、この利用代金を割り引いた決済を行う。
【手続補正９】
【補正対象書類名】明細書
【補正対象項目名】０１０７
【補正方法】変更
【補正の内容】
【０１０７】
そして、割引きサービスの実施の有無についての結果は電子メールなどの手段により利用者に通知する（Ｓ１３０６）。
【手続補正１０】
【補正対象書類名】明細書
【補正対象項目名】０１１４
【補正方法】変更
【補正の内容】
【０１１４】
次に、ＰＯＳ制御部３７は、端末ＩＤをもとに、店舗サーバ４５に対してＰＯＳ対インターネットアクセス部４９を経由して問い合わせて店舗サーバ４５の利用済リストを読み出す（Ｓ１２０３）。
【手続補正１１】
【補正対象書類名】明細書
【補正対象項目名】０１１８
【補正方法】変更
【補正の内容】
【０１１８】
一方、条件が満たされる場合（Ｓ１２０４肯定枝）には、所定の割引金額に相当する電子クーポンを携帯端末１のデータキャリア１１のデータ領域に書き込む（Ｓ１２０５）。